(57)【要約】【課題】建物の開口部に用いられる建具において、吊元側の框を細く構成できるとともに高い生産性を実現できる構成を提供すること。【解決手段】建具１は、開口部に固定される枠体１０（吊元側縦枠１３）と、枠体１０の内側に配置され、ガラス２１を保持する障子２０と、枠体１０に固定され、障子２０を開閉可能に支持する丁番７０と、ガラス２１の端部を収容するガラス保持溝３３０を有する吊元側縦框３３と、吊元側縦框３３のガラス保持溝３３０に配置され、吊元側縦框３３の長手方向に沿って延びる補強材としてのガラス保持金具７５０と、丁番７０の框側固定部材７１０を吊元側縦框３３の側壁部３３１とともにガラス保持溝３３０の内側でガラス保持金具７５０に連結するネジ７１５と、を備える【選択図】図４
2018100566.tif 000002
【特許請求の範囲】
【請求項１】
建物の開口部に設けられる建具であって、
前記開口部に固定される枠体と、
前記枠体の内側に配置され、ガラスを保持する障子と、
前記枠体に固定され、前記障子を開閉可能に支持する丁番と、
前記ガラスの端部を収容するガラス保持溝を有する吊元側框と、
前記吊元側框の前記ガラス保持溝に配置され、前記吊元側框の長手方向に沿って延びる補強材と、
前記丁番における前記吊元側框に固定される部分を前記吊元側框の側部とともに前記ガラス保持溝の内側の前記補強材に連結する連結部材と、
を備える建具。
【請求項２】
前記吊元側框の側部は、吊元側の前記枠体に対向する外側面を構成するとともに前記ガラス保持溝の底部を構成する板状に構成されており、
前記丁番における前記吊元側框に固定される部分が前記ガラス保持溝の裏側に位置した状態で前記連結部材により共締めされる請求項１に記載の建具。
【発明の詳細な説明】
【技術分野】
【０００１】
本発明は、建物の開口部に設けられる建具に関する。
【背景技術】
【０００２】
従来、建物の開口部に設けられる建具において、障子の框の内側に補強材を配置する技術が知られている。この種の技術を開示するものとして例えば特許文献１がある。特許文献１には、ステンレスの薄板を溝型に折り曲げて形成したガラス間口補強材が金属製框にビス固定されることが記載されている。
【先行技術文献】
【特許文献】
【０００３】
【特許文献１】特開２０１３−１２７１６７号公報
【発明の概要】
【発明が解決しようとする課題】
【０００４】
ところで、吊元側の框は、補強材とは別にガラス保持溝の内側に丁番を固定するための裏板を配置する構成を採ることが一般的である。裏板を配置する場合、框の長手方向に沿って延びる補強材を裏板に干渉しないように分割して配置する必要があり、生産性の向上という観点から改善の余地があった。また、デザイン性の観点から框をできるだけ細くしたい場合においても、裏板を収容するスペースを考慮して吊元側の框を構成する必要があるため、吊元側の框がデザインの制約になる場合もある。
【０００５】
本発明は、建物の開口部に用いられる建具において、吊元側の框を細く構成できるとともに高い生産性を実現できる構成を提供することを目的とする。
【課題を解決するための手段】
【０００６】
本発明は、建物の開口部に設けられる建具であって、前記開口部に固定される枠体（例えば、後述の枠体１０、吊元側縦枠１３）と、前記枠体の内側に配置され、ガラス（例えば、後述のガラス２１）を保持する障子（例えば、後述の障子２０）と、前記枠体に固定され、前記障子を開閉可能に支持する丁番（例えば、後述の丁番７０）と、前記ガラスの端部を収容するガラス保持溝（例えば、後述のガラス保持溝３３０）を有する吊元側框（吊元側縦框３３）と、前記吊元側框の前記ガラス保持溝に配置され、前記吊元側框の長手方向に沿って延びる補強材（例えば、ガラス保持金具７５０）と、前記丁番における前記吊元側框に固定される部分（例えば、後述の框側固定部材７１０）を前記吊元側框の側部（例えば、後述の側壁部３３１）とともに前記ガラス保持溝の内側で前記補強材に連結する連結部材（例えば、後述のネジ７１５）と、を備える建具に関する。
【０００７】
前記吊元側框の側部は、吊元側の前記枠体に対向する外側面を構成するとともに前記ガラス保持溝の底部を構成する板状に構成されており、前記丁番における前記吊元側框に固定される部分が前記ガラス保持溝の裏側に位置した状態で前記連結部材により共締めされることが好ましい。
【発明の効果】
【０００８】
本発明の建具の構成によれば、吊元側の框を細く構成できるとともに高い生産性を実現できる。
【図面の簡単な説明】
【０００９】
【図１】本発明の一実施形態に係る建具を室外側から見た外観図である。
【図２】本実施形態の建具１を室内側から見た内観図である。
【図３】本実施形態の建具１の横断面図である。
【図４】本実施形態の建具１が備える丁番７０及びその近傍を示す拡大横断面図である。
【発明を実施するための形態】
【００１０】
以下、本発明の好ましい実施形態について、図面を参照しながら説明する。なお、本明細書において、「見付方向」とは、建物に形成された開口部に納められた建具１における障子２０の面方向を意味し、「見込方向」とは、障子２０の厚み方向を意味する。
【００１１】
図１及び図２に示す建具１は、建物の躯体２により形成される開口部に用いられる開口部装置である。この建具１により室内側と室外側が区画される。
【００１２】
まず、建具１の全体構成について説明する。本実施形態の建具１は、躯体２に固定される枠体１０と、枠体１０の内側に配置される障子２０と、枠体１０の室内側に配置される樹脂カバー４０と、障子２０を開閉可能に支持する丁番７０と、を主要な構成として備える。
【００１３】
枠体１０は、上枠１１と、下枠１２と、吊元側縦枠１３と、戸先側縦枠１４と、が矩形に枠組みされて構成される。本実施形態の枠体１０は、アルミニウム合金の押出し形材によって成形される。
【００１４】
図３に示すように、障子２０は、ガラス２１と、ガラス２１を保持する框３０と、を備える。框３０は、上框３１と、下框３２と、吊元側縦框３３と、戸先側縦框３４と、が矩形に枠組みされて構成される。框３０は、枠体１０と同様に、アルミニウム合金の押出し形材で構成される。
【００１５】
また、ガラス２１の吊元側の端部は吊元側縦框３３のガラス保持溝３３０に収容され、ガラス２１の戸先側の端部は戸先側縦框３４のガラス保持溝３４０に収容される。また、ガラス２１の上端部は上框３１のガラス保持溝（図示省略）に収容され、下端部は下框３２のガラス保持溝（図示省略）に収容される。
【００１６】
吊元側縦框３３のガラス保持溝３３０には、吊元側縦框３３の長手方向（上下方向）に延びるステンレス製のガラス保持金具７５０が配置される。戸先側縦框３４のガラス保持溝３４０にも、戸先側縦框３４の長手方向（上下方向）に延びるガラス保持金具７４０が配置される。また、上框３１及び下框３２にも、それぞれの長手方向に延びるガラス保持金具（図示省略）が配置される。
【００１７】
障子２０の戸先側縦框３４にはレバーハンドル２６と、レバーハンドル２６に連動するラッチ機構２７と、が配置される。障子２０の開閉はレバーハンドル２６の操作によって行われる。また、戸先側縦枠１４には、ラッチ機構２７の受け部２８が設けられる。
【００１８】
樹脂カバー４０は、枠体１０の室内側を覆う樹脂製のカバー部材である。樹脂カバー４０は、枠体１０の構成に対応しており、上樹脂カバー４１と、下樹脂カバー４２と、左右両側にそれぞれ配置される縦樹脂カバー４４と、を備える。
【００１９】
縦樹脂カバー４４は、額縁５の側部を支持するアングル部４４０をそれぞれ備える。上樹脂カバー４１及び下樹脂カバー４２についても同様のアングル部（図示省略）を備えており、樹脂カバー４０を介して額縁５が保持される。
【００２０】
丁番７０は、吊元側縦枠１３に固定され、障子２０を開閉可能に支持する。丁番７０は、上下方向に複数配置される（図２参照）。次に、図４を参照して丁番７０の固定構造について説明する。
【００２１】
まず、吊元側縦枠１３の構成について説明する。吊元側縦枠１３の戸先側の見込面１３０ａには固定部材３５０が設けられる。固定部材３５０には丁番７０を固定するための複数のネジ穴が形成されている。
【００２２】
吊元側縦枠１３の室内側には、該吊元側縦枠１３の長手方向に沿って延びる縦樹脂カバー４４が配置される。縦樹脂カバー４４の見込方向室外側には弾性部材４４５を保持する樹脂本体部４３１が配置されている。
【００２３】
次に、吊元側縦框３３の構成について説明する。以下の説明では、吊元側縦框３３の側壁部３３１において、吊元側縦枠１３の見込面１３０ａに対向する面を吊元側縦框３３の外側面３３１ａとし、この外側面３３１ａの反対側（裏側）の面を内側面３３１ｂとして説明する。
【００２４】
吊元側縦框３３のガラス保持溝３３０は、戸先側に開口する凹状に形成される。このガラス保持溝３３０の内側にガラス２１の吊元側の端部がグレチャン２２０を介して収容される。
【００２５】
吊元側縦框３３は、その側壁部３３１が中空部を有しない一枚板の構造（ソリッド形状）となっている。側壁部３３１の内側面３３１ｂは、ガラス保持溝３３０の一部として底面を形成する。ガラス保持溝３３０の底面（内側面３３１ｂ）にガラス保持金具７５０が配置される。
【００２６】
ガラス保持金具７５０は、障子２０の遮炎性を向上させるものであり、防火仕様の建具１に用いられる補強材である。本実施形態の吊元側縦框３３に配置されるガラス保持金具７５０は、戸先側が開口する断面略Ｕ字状に形成される。また、ガラス保持金具７５０は、吊元側縦框３３の長手方向に通しで延びており、途切れることなく連続している。
【００２７】
また、吊元側縦框３３の室外側端部には、吊元側に延びる延出片３３６が形成される。延出片３３６は、障子２０の閉鎖時において、丁番７０の見込方向室外側を覆うように長手方向に壁状に形成される。延出片３３６の吊元側の端部には、吊元側縦枠１３と吊元側縦框３３の隙間を塞ぐ弾性部材３３７が配置される。
【００２８】
また、吊元側縦框３３のガラス保持溝３３０の室内側には樹脂部材３３５が配置される。樹脂部材３３５は、吊元側縦框３３の長手方向に沿って延びている。本実施形態では、樹脂部材３３５の室外側の面がガラス保持溝３３０の一部となっている。樹脂部材３３５の室内側の面は、障子２０が閉鎖している状態では、縦樹脂カバー４４側の弾性部材４４５に接触する。
【００２９】
樹脂部材３３５の吊元側の見込面には吊元側縦框３３に嵌合するための第１樹脂側嵌合部３３５ａ及び第２樹脂側嵌合部３３５ｂが設けられる。第１樹脂側嵌合部３３５ａは、吊元側に突出する断面略Ｌ字状に形成される。第２樹脂側嵌合部３３５ｂは、吊元側縦框３３の室内側端部に配置され、見込方向室外側に開口する凹状に形成される。
【００３０】
吊元側縦框３３は、第１樹脂側嵌合部３３５ａに対応する第１框側嵌合部３３０ａと、第２樹脂側嵌合部３３５ｂに対応する第２框側嵌合部３３０ｂと、を備える。
【００３１】
第１框側嵌合部３３０ａは、その戸先側で第１樹脂側嵌合部３３５ａに嵌合する形状となっている。また、側壁部３３１の外側面３３１ａにおいて、第１框側嵌合部３３０ａに左右方向で対応する位置（裏側）に吊元側に突出する凸条部３３０ｃが形成される。凸条部３３０ｃは、吊元側縦框３３の長手方向に細長く延びている。
【００３２】
第２框側嵌合部３３０ｂは、第２樹脂側嵌合部３３５ｂによって形成される凹状の空間に見込方向で差し込まれる形状となっている。
【００３３】
側壁部３３１の外側面３３１ａには、凸条部３３０ｃの高さに対応した立ち上がり部３３４が凸条部３３０ｃに対して見込方向室外側に間隔をあけて配置されている。立ち上がり部３３４は、その先端部が見込方向室内側に屈曲する断面略Ｌ字状に形成される。立ち上がり部３３４も吊元側縦框３３の長手方向に沿って壁状に延びている。
【００３４】
本実施形態では、吊元側縦枠１３（枠体１０）の長手方向に帯状に延びる加熱発泡材８０が吊元側縦枠１３と障子２０の間に配置される。加熱発泡材８０は、火災時等の高温環境で発泡し、障子２０と戸先側縦枠１４の隙間を塞ぐためのものである。吊元側縦枠１３と縦樹脂カバー４４によって構成される加熱発泡材保持部９４により、加熱発泡材８０が保持されている。なお、吊元側縦枠１３と障子２０の間だけではなく、上枠１１、下枠１２及び戸先側縦枠１４にも加熱発泡材８０は同様に配置されている。
【００３５】
次に、丁番７０の固定構造について説明する。本実施形態の丁番７０は、吊元側縦枠１３に固定される枠側固定部材７２０と、吊元側縦框３３に固定される框側固定部材７１０と、枠側固定部材７２０に対して框側固定部材７１０を回転可能に支持する回転軸７３０と、を備える。
【００３６】
丁番７０の枠側固定部材７２０は、吊元側縦枠１３の戸先側の見込面１３０ａに固定されるプレート（板状部材）である。本実施形態では、枠側固定部材７２０は、見込面１３０ａに固定される固定部材３５０に接触した状態でネジ７２５によって固定される。
【００３７】
丁番７０の框側固定部材７１０は、ネジ（連結部材）７１５を介して吊元側縦框３３に固定されるプレート（板状部材）である。框側固定部材７１０は、凸条部３３０ｃと立ち上がり部３３４に接触しており、側壁部３３１の外側面３３１ａに間隔をあけた状態で固定される。また、ネジ７１５の締結箇所は、凸条部３３０ｃと立ち上がり部３３４の間となっている。ネジ７１５は、吊元側縦枠１３の長手方向で間隔をあけて複数締結される。
【００３８】
框側固定部材７１０及び吊元側縦框３３の側壁部３３１は、いずれも複数のネジ溝（図示省略）が形成されている。ネジ７１５は、框側固定部材７１０及び吊元側縦框３３の側壁部３３１を挿通し、ガラス保持溝３３０の内側でガラス保持金具７５０に締結される。
【００３９】
ガラス保持金具７５０には、ネジ７１５の締結位置に対応するネジ溝（図示省略）が形成される。また、ガラス保持金具７５０その戸先側の面には、ネジ溝を確保するための突出部７５０ａが前述のネジ溝の位置に対応した部分に設けられている。突出部７５０ａにより、ガラス保持金具７５０の厚みを増やさなくても、ネジ溝の軸方向の長さを大きく確保できる。
【００４０】
ネジ７１５により、框側固定部材７１０、ガラス保持金具７５０及び吊元側縦框３３が共締めされた状態となる。なお、本実施形態のガラス保持金具７５０は、丁番７０の框側固定部材７１０が配置される部分以外でもネジ（図示省略）によって側壁部３３１に固定されている。
【００４１】
回転軸７３０は、框側固定部材７１０又は枠側固定部材７２０の何れかに固定されており、框側固定部材７１０に対して枠側固定部材７２０を回転可能に支持する構造となっている。この回転軸７３０によって障子２０が枠体１０に対して開閉可能になっている。
【００４２】
以上説明した本実施形態によれば、以下のような効果を奏する。
本実施形態の建具１は、開口部に固定される枠体１０（吊元側縦枠１３）と、枠体１０の内側に配置され、ガラス２１を保持する障子２０と、枠体１０に固定され、障子２０を開閉可能に支持する丁番７０と、ガラス２１の端部を収容するガラス保持溝３３０を有する吊元側縦框３３と、吊元側縦框３３のガラス保持溝３３０に配置され、吊元側縦框３３の長手方向に沿って延びる補強材としてのガラス保持金具７５０と、丁番７０の框側固定部材７１０を吊元側縦框３３の側壁部３３１とともにガラス保持溝３３０の内側でガラス保持金具７５０に連結するネジ７１５と、を備える。
【００４３】
これにより、補強材としてのガラス保持金具７５０を利用して丁番７０を吊元側縦框３３にしっかりと固定できるので、ガラス保持溝３３０の内側に丁番７０を固定するための裏板を別途配置したり、裏板への干渉をさけてガラス保持金具７５０を分割したりする必要もない。従って、部品点数を削減できるとともに生産性を向上させることができる。また、裏板等の別部品を配置する必要がなくなるので、吊元側縦框３３を細く構成することができる。
【００４４】
本実施形態の吊元側縦框３３の側壁部３３１は、吊元側縦枠１３の見込面１３０ａに対向する外側面３３１ａを構成するとともにガラス保持溝３３０の底部を構成する板状に構成されており、丁番７０の框側固定部材７１０がガラス保持溝３３０の裏側に位置した状態でネジ７１５が共締めされる。
【００４５】
これにより、障子２０の側部が一枚の板状の側壁部３３１によって構成されるので、ホロー構造を有する縦框を用いる場合に比べ、框の見付方向の大きさをより一層小さくすることができる。
【００４６】
以上、本発明の好ましい実施形態について説明したが、本発明は、上述の実施形態に制限されるものではなく、適宜変更が可能である。
【００４７】
上記実施形態では、框側固定部材７１０は、凸条部３３０ｃと立ち上がり部３３４によって側壁部３３１の外側面３３１ａに対して間隔をあけた状態でガラス保持溝３３０の裏側に固定されているが、この構造に限定されない。例えば、凸条部３３０ｃ及び立ち上がり部３３４を省略し、外側面３３１ａに框側固定部材７１０が接触した状態で直接的に固定される構成とすることもできる。
【００４８】
上記実施形態では、ガラス保持金具７５０は、断面略Ｕ字状に形成されているが、この構成に限定されない。例えば、断面略Ｌ字状や断面略Ｉ字状等、ガラス保持金具７５０の形状は適宜変更することができる。また、締結部材としてのネジ７１５が締結されるものは、吊元側の框の内側に配置される補強材であればよく、ガラス保持金具に限定されるものではない。
【００４９】
上記実施形態では、吊元側縦框３３の長手方向に沿って複数締結されるネジ７１５により、丁番７０の框側固定部材７１０が吊元側縦框３３の内側のガラス保持金具７５０に連結される構成であるが、この構成に限定されない。ネジ７１５を見込方向に複数締結してもよいし、丁番の形状によっては１つのネジで框側固定部材７１０を連結してもよい。
【符号の説明】
【００５０】
１：建具
１０：枠体
１３：吊元側縦枠
２０：障子
２１：ガラス
３３：吊元側縦框（吊元側框）
３３１：側壁部（側部）
７０：丁番
７１０：框側固定部材（丁番における吊元側框に固定される部分）
７１５：ネジ（連結部材）
７５０：ガラス保持金具
【図１】
2018100566.tif 000003
【図２】
2018100566.tif 000004
【図３】
2018100566.tif 000005
【図４】
2018100566.tif 000006